(57)【特許請求の範囲】
【請求項１】
折り曲げプレス機（２）のための支持装置（１５）であって、該支持装置（１５）は、
ベースフレーム（２４）と、
ベースフレーム（２４）に配置された、折り曲げプレス機（２）に支持装置（１５）を固定するための少なくとも１つの結合プレート（１９）であって、垂直に方向付けされた結合平面（２２）を形成する結合プレート（１９）と、
ベース位置（２６）と最大位置（２７）の間で位置決め可能な、載置面（１８）を備えた支持載置部（１７）と、
支持載置部（１７）が配置されるレバーリンケージシステム（２５）と、
レバーリンケージシステム（２５）を駆動する駆動ユニット（３２）と、を有し、
レバーリンケージシステム（２５）が駆動ユニット（３２）と結合され、かつ平行リンク機構として形成されており、かつ、前記レバーリンケージシステム（２５）が、第１の回転リンケージ（３８）と第２の回転リンケージ（３９）とを備えた第１のメインレバーアーム（３７）と、第３の回転リンケージ（４１）と第４の回転リンケージ（４２）とを備えた第２のメインレバーアーム（４０）と、前記２つのメインレバーアーム（３７、４０）に第２の回転リンケージ（３９）と第４の回転リンケージ（４２）によって支承されて取り付けられた担持アーム（４４）と、支持アーム（５０）とを有し、前記２つのメインレバーアーム（３７、４０）が互いに対して平行に配置され、かつ、メイン支承平面（４３）内に位置する第１の回転リンケージ（３８）と第３の回転リンケージ（４１）とによってベースフレーム（２４）に軸承されており、かつ、第２のメインレバーアーム（４０）が第１のメインレバーアーム（３７）よりも載置面（１８）に近く配置されており、第１の回転リンケージ（３８）と第２の回転リンケージ（３９）の間の垂直間隔（４５）が第３の回転リンケージ（４１）と第４の回転リンケージ（４２）の間の垂直間隔（４６）と同じ大きさであり、かつ、第２の回転リンケージ（３９）と第４の回転リンケージ（４２）が、第１の回転リンケージ（３８）と第３の回転リンケージ（４１）よりも結合平面（２２）から離れており、かつ、前記担持アーム（４４）に支持載置部（１７）が第５の回転リンケージ（４７）によって支承されており、前記第５の回転リンケージ（４７）が担持アーム（４４）の、第４の回転リンケージ（４２）を越えて張り出す部分（４８）に配置されており、前記支持載置部（１７）が第６の回転リンケージ（４９）によって支持アーム（５０）と結合されており、前記支持アーム（５０）が担持アーム（４４）に対して平行になるように第７の回転リンケージ（５２）によって第１のメインレバーアーム（３７）又は第２のメインレバーアーム（４０）と結合されており、かつ、担持アーム（４４）が支持アーム（５０）よりもメイン支承平面（４３）に近く配置されており、かつ、第７の回転リンケージ（５２）が、第１の回転リンケージ（３８）と第２の回転リンケージ（３９）の間の直線の延長上に、あるいは第３の回転リンケージ（４１）と第４の回転リンケージ（４２）の間の直線の延長上に配置されている、支持装置において、
前記駆動ユニット（３２）が、回転ドライブ（３４）として形成された位置決めドライブ（３３）と、該位置決めドライブ（３３）と結合されたクランク（３５）と、該クランクとリンケージ結合された揺り腕（５４）と、第８の回転リンケージ（５５）と、第９の回転リンケージ（５６）とを有し、該揺り腕（５４）が、第８の回転リンケージ（５５）によってクランク（３５）と、第９の回転リンケージ（５６）によってレバーリンケージシステム（２５）とに結合されている、ことを特徴とする折り曲げプレス機のための支持装置。
【請求項２】
前記揺り腕（５４）が第９の回転リンケージ（５６）によってレバーリンケージシステム（２５）の前記支持アーム（５０）と結合している、ことを特徴とする請求項１に記載の支持装置。
【請求項３】
前記揺り腕（５４）が前記支持アーム（５０）の、第２の回転リンケージ（３９）を越えて張り出す部分において前記支持アームと結合している、ことを特徴とする請求項２に記載の支持装置。
【請求項４】
前記クランク（３５）が、前記支持載置部（１７）のベース位置（２６）において、前記揺り腕（５４）に対して、互いに対して１°〜２０°の間の鋭角（６３）で配置されており、かつ
前記クランク（３５）と前記揺り腕（５４）が、前記支持載置部（１７）の最大位置（２７）において互いに対して、１６０°〜１７９°の間の第１の鈍角（６３）で配置されている、
ことを特徴とする請求項１〜３の何れか一項に記載の支持装置。
【請求項５】
前記位置決めドライブ（３３）の前記クランク（３５）が、前記支持載置部（１７）のベース位置（２６）において次のように、すなわち前記クランク（３５）が、前記結合平面（２２）に対して１８０°〜２７０°の間の第２の角度（６４）で配置されるように回動する、ことを特徴とする請求項１〜４の何れか一項に記載の支持装置。
【請求項６】
前記位置決めドライブ（３３）の前記クランク（３５）が、前記支持載置部（１７）の最大位置（２７）において次のように、すなわち前記クランク（３５）が、前記結合平面（２２）に対して０°〜４５°の間の第２の角度（６４）で配置されるように回動する、ことを特徴とする請求項１〜５の何れか一項に記載の支持装置。
【請求項７】
前記位置決めドライブ（３３）がサーボモータを有している、ことを特徴とする請求項１〜６の何れか一項に記載の支持装置。
【請求項８】
前記支持アーム（５０）が、前記担持アーム（４４）よりもメイン支承平面（４３）からより離れている、ことを特徴とする請求項１〜７の何れか一項に記載の支持装置。
【請求項９】
前記結合プレート（１９）と前記ベースフレーム（２４）との間に調節装置（２９）が配置されており、該調節装置によって前記ベースフレーム（２４）が前記結合プレート（１９）に対するその位置に関して、前記結合平面（２２）に対して平行に垂直方向（３０）に変位可能である、ことを特徴とする請求項１〜８の何れか一項に記載の支持装置。
【請求項１０】
調節装置（２９）が駆動モータ（３１）を有している、ことを特徴とする請求項９に記載の支持装置。
【請求項１１】
前記結合プレート（１９）が、前記折り曲げプレス機（２）に対するインターフェースにリニアガイド（２０）を有し、前記支持装置（１５）が前記折り曲げプレス機（２）に関して前記結合平面（２２）に対して平行に水平方向（２１）に変位可能である、ことを特徴とする請求項１〜１０の何れか一項に記載の支持装置。
【請求項１２】
前記支持装置（１５）が保護カバー（５７）を有しており、該保護カバー（５７）が固定の部分セクション及び前記支持載置部（１７）と連動可能な部分セクションからなり、かつ前記第１のメインレバーアーム（３７）及び／又は前記担持アーム（４４）が少なくとも部分的に、前記保護カバー（５７）の内側輪郭（６１）に適合した円弧状の外側輪郭（６２）を有している、ことを特徴とする請求項１〜１１の何れか一項に記載の支持装置。
【請求項１３】
第６の回転リンケージ（４９）に対する第５の回転リンケージ（４７）の間隔（６５）が、第２の回転リンケージ（３９）に対する第１の回転リンケージ（３８）の間隔（４５）の２５％〜６０％の間であり、かつ、
第５の回転リンケージ（４７）に対して第４の回転リンケージ（４２）が、第２の回転リンケージ（３９）に対する第１の回転リンケージ（３８）と同じ大きさの間隔（６６）を有している、
ことを特徴とする請求項１〜１２の何れか一項に記載の支持装置。
【請求項１４】
第７の回転リンケージ（５２）に対する第９の回転リンケージ（５６）の間隔（６７）が、第２の回転リンケージ（３９）に対する第１の回転リンケージ（３８）の間隔（４５）の５％〜３０％の間であり、かつ
第９の回転リンケージ（５６）に対する第８の回転リンケージ（５５）の間隔（６８）が、第２の回転リンケージ（２９）に対する第１の回転リンケージ（３８）の間隔（４５）の１１０％〜１４５％の間であって、かつ
第８の回転リンケージ（５５）に対する位置決めドライブ（３３）の回転中心点（３６）の間隔（６９）が、第２の回転リンケージ（３９）に対する第１の回転リンケージ（３８）の間隔（４５）の４５％〜７５％の間である、
ことを特徴とする請求項１〜１３の何れか一項に記載の支持装置。
【請求項１５】
第３の回転リンケージ（４１）に対する第１の回転リンケージ（３８）の間隔（７０）が、第２の回転リンケージ（３９）に対する第１の回転リンケージ（３８）の間隔（４５）の２５％〜６０％の間であり、かつ
第３の回転リンケージ（４１）に対する第１の回転リンケージ（３８）の水平間隔（７１）が、第２の回転リンケージ（３９）に対する第１の回転リンケージ（３８）の間隔（４５）の１５％〜４０％の間であって、かつ
第３の回転リンケージ（４１）に対する前記位置決めドライブ（３３）の回転中心点（３６）の水平間隔（７２）が、第２の回転リンケージ（３９）に対する第１の回転リンケージ（３８）の間隔（４５）の３５％〜６５％の間である、
ことを特徴とする請求項１〜１４の何れか一項に記載の支持装置。
【請求項１６】
第１の工具収容部（５）を有する第１の変位可能なプレスビーム（４）と、第２の工具収容部（８）を有する第２の固定のプレスビーム（７）とを備えた折り曲げプレス機（２）と、少なくとも１つの前記結合プレート（１９）によって前記折り曲げプレス機（３）に固定可能な、加工すべきシート（３）を載置するための支持装置（１５）とを有する、加工設備（１）において、
前記支持装置（１５）が請求項１〜１５の何れか一項に記載の支持装置である、ことを特徴とする加工設備。
【発明の詳細な説明】
【技術分野】
【０００１】
本発明は、請求項１に記載されているような、折り曲げプレス機のための支持装置に関する。
【背景技術】
【０００２】
特許文献１及び２からは、折り曲げプレス機において折り曲げ工程の間、曲げるべきシート工作物を支持するために設けられた、支持装置が知られている。それにおいて支持装置は、折り曲げプレス機の前側に取り付けることができる。支持装置には支持載置部が形成されており、その上に曲げるべきシート工作物、具体的にはシート工作物の折り曲げプレス機から張り出す部分セクション、を載置することができる。曲げ工程の間にシート工作物が上方へ移動する場合に、支持載置部が連動されるので、曲げ工程全体の間シート工作物の張り出した部分セクションが支持される。その場合にパラレルキネマティックは、支持載置部の揺動軸がシート工作物の曲げ軸線と実質的に一致するように形成されているので、支持プレートの表面は、シート工作物の表面に対して平行に案内することができる。その場合に支持装置の運動機構は、油圧シリンダ又は空気圧シリンダによって移動させることができるパラレルキネマティックによって形成される。パラレルキネマティックは個々のレバーアームを有しており、それらが回転ジョイントによって互いに対し、かつベースフレームと結合されている。パラレルキネマティックには、さらに、載置面を有する支持載置部が配置されている。
【０００３】
特許文献１及び２から知られた形態における欠点は、支持装置が極めて大きく構成されており、それによって機械操作者に提供される立ちスペースが極めて制限されていることである。さらに、示される組立方法によって個々の部材の高い質量慣性が生じ、それによって、最近の折り曲げプレスにおいて必要とされる高ダイナミックな駆動方法が不可能であり、あるいは条件付きでしか可能とならない。
【先行技術文献】
【特許文献】
【０００４】
【特許文献１】欧州特許第０５４２６１０（Ｂ１）号明細書
【特許文献２】独国特許公開第４１２６９０６（Ａ１）号明細書
【発明の概要】
【発明が解決しようとする課題】
【０００５】
本発明の課題は、最近の折り曲げプレス機のダイナミックな駆動方法に適合しており、かつ高ダイナミックな位置決め運動を克服することができる、改良された支持装置を提供することである。
【課題を解決するための手段】
【０００６】
本発明のこの課題は、請求項１に記載の措置によって解決される。
【０００７】
本発明によれば、折り曲げプレス機のために支持装置が形成されており、支持装置はベースフレーム、ベースフレームに配置された、支持装置を折り曲げプレス機に固定するための少なくとも１つの結合プレート、載置面を備えた支持載置部を有し、結合プレートによって垂直の結合平面が形成される。支持載置部は、ベース位置と最大位置との間で位置決め可能であって、その場合に支持載置部はレバーリンケージシステムに配置されており、そのレバーリンケージシステムは位置決めドライブと結合され、かつパラレルキネマティックとして形成されている。レバーリンケージシステムは、第１と第２の回転リンケージを備えた第１のメインレバーアームと、第３及び第４の回転リンケージを備えた第２のメインレバーアームを有しており、それらメインレバーアームは互いに対して平行に配置され、かつメイン支承平面内に位置する第１と第３の回転リンケージによってベースフレームに支承されている。２つのメインレバーアームには、担持アームが第２及び第４の回転リンケージによって支承して取り付けられており、その場合に第１と第２の回転リンケージの間の垂直間隔は、第３と第４の回転リンケージの間の垂直間隔と等しい大きさである。第２と第４の回転リンケージは、第１及び第３の回転リンケージよりも結合平面からずっと離れている。担持アームには支持載置部が第５の回転リンケージによって支承されており、その第５の回転リンケージは担持アームの、第４の回転リンケージを越えて張り出す部分に配置されている。支持載置部は、第６の回転リンケージによって支持アームと結合されており、その支持アームは担持アームに対して平行に第７の回転リンケージによって第１又は第２のメインレバーアームと結合されている。第７の回転リンケージは、第１と第２の回転リンケージの間、あるいは第３と第４の回転リンケージの間の直線の延長上に配置されている。駆動ユニットは、回転ドライブとして形成された位置決めドライブと結合されたクランクと、そのクランクとリンケージ結合された揺り腕とを有しており、その揺り腕が第８の回転リンケージによってクランクと、そして第９の回転リンケージによってレバーリンケージシステムと結合されている。
【０００８】
本発明に係る形成の驚くべき利点は、パラレルキネマティックの形式のレバーリンケージシステムの既知の利点を達成することができ、さらに支持装置の駆動方法における改良された動特性と位置決めドライブによる、より小さい組み込み空間を達成できることにある。その場合に好ましくは、位置決めドライブは、支持装置の組み込み空間を特に小さく抑えることができるように、位置決めすることができる。位置決めドライブによるレバーリンケージシステムの好ましいリンク結合によって、回転リンケージに作用する径方向力も減少させることができる。というのは、個々の部分の質量慣性及び加速に基づいて発生する力を最小限に抑えることができるからである。したがって支持装置全体が減少された質量を有し、それによって動的な駆動方法の向上が可能となる。
【０００９】
さらに、揺り腕が第９の回転リンケージによってレバーリンケージシステムの支持アームと結合されていると、好ましい場合がある。揺り腕をレバーリンケージシステムの支持アームにリンク結合することによって、レバーリンケージシステムは、駆動運動を支持載置部の運動に変換するための効果的な変速比を有することができる。したがってわずかな駆動距離を有する位置決めドライブの比較的小さい駆動運動を支持載置部の比較的大きい走行運動に変換することができ、その場合に位置決めドライブによってもたらすべき、特に動的な負荷に基づいて発生する力を、小さく抑えることができる。
【００１０】
展開においては、支持アームの、第２の回転リンケージを越えて張り出す部分において振り子支柱をこの支持アームと結合することができる。その場合に好ましくは、上で説明した改良された動的特性は、この形成によって特に良好に達成することができる。
【００１１】
さらに、クランク、特に位置決めドライブの回転中心点と第８の回転リンケージの間に引かれた結合ラインは、支持載置部のベース位置において、揺り腕に対し、特に第８と第９の回転リンケージの間に引いた結合ラインに対して、互いに対して１°と２０°の間、好ましくは２°と１０°の間、特に４°と８°の間の鋭角を有することができ、かつクランクと揺り腕は、支持載置部の最大位置において互いに対して１６０°と１７９°の間、好ましくは１７０°と１７８°の間、特に１７２°と１７６°の間の鈍角で配置することができる。その場合に好ましくはそれによって、２つの終端位置において所定の角速度を有する位置決めドライブの回転運動は、レバーリンケージシステムにおいて、中間位置における等しい角速度を有する位置決めドライブの回転運動よりも小さい線形速度をもたらす。位置決めドライブによってもたらすべき力は、まったく逆の挙動となる。言葉を換えて説明すると、位置決めドライブはレバーリンケージシステムのベース位置と最大位置において、わずかなトルク負荷において高い線形力をレバーリンケージシステムへもたらすことができる。というのは、クランクと揺り腕がニーレバーのように振る舞うからである。特にこれら２つの終端位置においては、最大の力が発生する。というのは、レバーリンケージシステムの質量慣性によってもたらされる力によって動特性が最大に達するからである。さらにそれによって質量加速度を減少させることができる。というのは、すでに説明したように、速度ないし速度推移も位置決めドライブによって改良されるからである。
【００１２】
さらに、位置決めドライブのクランクは支持載置部のベース位置において次のように、すなわちクランク、特に位置決めドライブの回転中心点と第８の回転リンケージとの間に引いた結合ラインが、結合平面に対して１８０°と２７０°の間、好ましくは１９０°と２５０°の間、特に２２０°と２４０°の間の角度で配置されるように、回動されている。その場合に好ましくは、この配置によってクランクは次のように、すなわちできるだけ小さい組み込み空間においてクランクを効果的に収容することができ、かつ伝達すべき力、および走行運動を効果的に設計することができるように、位置決めされている。
【００１３】
さらに、位置決めドライブのクランクは、支持載置部の最大位置において次のように、すなわちクランク、特に位置決めドライブの回転中心点と第８の回転リンケージとの間に引かれた直線が、結合平面に対して０°と４５°の間、好ましくは５°と２０°の間、特に７°と１５°の間の角度で配置されるように、回動させることができる。その場合に好ましくは、この配置によってクランクは、できる限り小さい組み込み空間においてクランクを効果的に収容することができ、かつ伝達される力及び走行運動を効果的に設計することができるように、位置決めされる。
【００１４】
位置決めドライブがサーボモータを有する形態も、効果的である。サーボモータは、特にこの種の機械内で使用するのに良く適している。というのは、高いトルクをもたらすことができ、保持力あるいは静止状態モーメントをもたらすことができ、したがって制動する必要がないからである。さらに、サーボモータはその走行運動と走行位置において正確に制御することができるので、支持載置部の正確な位置決めを可能にすることができる。この種のサーボモータは、さらに、機械制御によって良好に駆動することができる。
【００１５】
さらに、支持アームは、メイン支承平面から担持アームよりもずっと離しておくことができる。その場合に好ましくは、それによって支持アームは、できる限り場所をとらずに収容されるように、メインリンケージシステム内に配置されている。
【００１６】
展開によれば、結合プレートとベースフレームの間に調節装置を配置することが可能であって、その調節装置によってベースフレームがその、結合プレートに対する位置において、結合平面に対して平行に垂直方向に変位可能である。その場合に好ましくは、それによって支持装置が高さ調節可能となる。それによって種々の載置高さの曲げダイを有する種々の曲げ工具を折り曲げプレス機内で使用することができ、その場合に支持装置、特に支持載置部はそのベース位置においてシートの垂直の位置に適合させることができる。
【００１７】
展開において、調節装置は駆動モータを有することができる。その場合に好ましくは、駆動モータによって結合プレートに関するベースフレームの変位運動を自動化することができる。
【００１８】
さらに、支持装置が保護カバーを有すると好ましい場合があり、支持カバーは固定の部分セクションと、支持載置部によって連動可能な部分セクションとからなり、かつ、第１のメインレバーアーム及び／又は担持アームが少なくとも部分的に、支持カバーの内側輪郭に適した外側輪郭、特に円弧形状の外側輪郭を有している。その場合に好ましくは保護カバーによってレバーリンケージシステムの移動する部分が介入から保護されており、かつそれによってユーザーの損傷の危険が最小限に抑えられる。さらに、保護カバーによって、内側に位置する構成部品が周囲の影響から、かつ汚れから保護される。レバーリンケージシステムの個々の部材が保護カバーに適合されていることによって、保護カバーはできる限り小さく構成することができ、それによって組み込み空間が節約され、さらに、移動すべき質量をできる限り小さく抑えることができる。
【００１９】
さらに、第６の回転リンケージに対する第５の回転リンケージの間隔は、第２の回転リンケージに対する第１の回転リンケージの間隔の２５％と６０％の間、好ましくは３５％と５０％の間、特に４０％と４５％の間とすることができ、かつ、第５の回転リンケージに対して第４の回転リンケージは、第２の回転リンケージに対する第１の回転リンケージと同じ大きさの間隔を有することができる。その場合の驚くべき利点として、回転ドライブとの組み合わせにおいて、組み込み空間はできる限り小さく、さらに回転リンケージ内に発生する力はできるだけ小さく抑えることができる、レバーリンケージシステムのレイアウトを得ることができる。というのは、個々のコンポーネントの質量慣性に基づく動的な力をできるだけ小さく抑えることができるからである。それによってレバーリンケージシステムは、高ダイナミックに調節することができる。
【００２０】
さらに、第７の回転リンケージに対する第９の回転リンケージの間隔は、第２の回転リンケージに対する第１の回転リンケージの間隔の５％と３０％の間、好ましくは１０％と２５％の間、特に１５％と２０％の間とすることができ、第９の回転リンケージに対する第８の回転リンケージの間隔は、第２の回転リンケージに対する第１の回転リンケージの間隔の１１０％と１４５％の間、好ましくは１２０％と１３５％の間、特に１２５％と１３０％の間とすることができ、かつ第８の回転リンケージに対する位置決めドライブの回転中心点の間隔は、第２の回転リンケージに対する第１の回転リンケージの間隔の４５％と７５％の間、好ましくは５０％と６０％の間、特に５４％と６４％の間とすることができる。その場合の驚くべき利点として、回転ドライブとの組み合わせにおいて、組み込み空間ができるだけ小さく抑えられ、さらに回転リンケージ内に発生する力をできる限り小さく抑えることができる、レバーリンケージシステムのレイアウトを得ることができる。というのは、個々のコンポーネントの質量慣性に基づく動的な力をできるだけ小さく抑えることができるからである。それによってレバーリンケージシステムは、高ダイナミックに調節することができる。
【００２１】
付加的に、第３の回転リンケージに対する第１の回転リンケージの間隔は、第２の回転リンケージに対する第１の回転リンケージの間隔の２５％と６０％の間、好ましくは３５５と５０％の間、特に４０％と４５％の間とすることができ、第３の回転リンケージに対する第１の回転リンケージの水平間隔は、第２の回転リンケージに対する第１の回転リンケージの間隔の１５％と４０％の間、好ましくは２０％と３５％の間、特に２５％と３０％の間とすることができ、かつ第３の回転リンケージに対する位置決めドライブの回転中心点の水平間隔は、第２の回転リンケージに対する第１の回転リンケージの間隔の３５％と６５％の間、好ましくは４０％と６０％の間、特に４５％と５５％の間とすることができる。その場合の驚くべき利点として、回転ドライブとの組み合わせにおいて、組み込み空間ができる限り小さく、さらに回転リンケージ内に発生する力をできる限り小さく抑えることができる、レバーリンケージシステムのレイアウトを得ることができる。というのは、個々のコンポーネントの質量慣性に基づく動的な力をできるだけ小さく抑えることができるからである。それによってレバーリンケージシステムは、高ダイナミックに調節することができる。
【００２２】
本発明をさらに良く理解するために、以下の図を用いて本発明を詳細に説明する。
【図面の簡単な説明】
【００２３】
【図１】折り曲げプレス機及び支持装置を有する加工設備を示す側面図である。
【図２】支持装置を図式的に示す側面図である。
【図３】支持装置の好ましい実施変形例を示す斜視図である。
【図４】遮蔽位置を外れた保護カバーを有する支持装置の好ましい実施変形例を示す他の斜視図である。
【図５】支持装置の好ましくは実施変形例を最大位置で示す側面図である。
【図６】支持装置の好ましい実施変形例をベース位置で示す側面図である。
【発明を実施するための形態】
【００２４】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００２５】
図１は、加工設備１を図式的に側面図で示している。加工設備１は、シート３を曲げるために設けられた折り曲げプレス機２を有している。
【００２６】
折り曲げプレス機２は、第１の変位可能なプレスビーム４を有しており、その中に第１の曲げ工具６を収容するための第１の工具収容部５が形成されている。この場合に第１の曲げ工具６は、好ましくは曲げパンチ６として形成されている。さらに、折り曲げプレス機２は、第２の固定のプレスビーム７を有しており、そのプレスビームには第２の曲げ工具９を収容するための第２の工具収容部８が形成されている。第２の曲げ工具９は、好ましくは曲げダイとして形成されており、かつ第１の曲げ工具６と対応する。
【００２７】
曲げるべきシート３が、第２の曲げ工具９のシート載置面１０上に載置される。第１の曲げ工具６もしくは第１の変位可能なプレスビーム４が、プレス駆動ユニット１１によって垂直方向上方もしくは下方へ向かって移動される。プレス駆動ユニット１１を制御するために、計算器ユニット１２が設けられており、その計算器ユニットは入力及び／又は表示ユニット１３に接続することができる。
【００２８】
さらに、加工設備１が操作装置１４を有することができ、その操作装置によって加工すべきシート３を自動的に操作することができる。その代わりに、加工すべきシート３を手動で折り曲げプレス機３内へ挿入することもできる。
【００２９】
大きいシート工作物３を加工することができるようにするために、さらに、折り曲げプレス機２に支持装置１５を取り付けることができ、その支持装置は加工すべきシート３の、曲げ工具６、９に対してはるかに張り出すシート脚１６を曲げ工程の間支持することができる。それによって、張り出しているシート脚１６がその固有質量に基づき、かつ地球引力に基づいて下方へ曲がり、それに伴って不用意に変形することを、阻止することができる。
【００３０】
支持装置１５は、支持載置部１７を有しており、その支持載置部に載置面１８が形成されている。加工すべきシート３は、載置面１８上に載置して、加工工程の間支持装置１５によって案内し、かつ支持することができる。支持装置１５は、さらに、結合プレート１９を有しており、その結合プレートによって支持装置１５は、折り曲げプレス機２に固定することができる。
【００３１】
その場合に結合プレート１９をどのように折り曲げプレス機２と結合することができるかについて、複数の異なる可能性が存在する。たとえば、結合プレート１９は、リニアガイド２０として形成されたガイドレールシステムによって折り曲げプレス機２と結合することができる。この種のリニアガイド２０によって、支持装置１５は水平方向２１に変位することができる。水平方向２１における支持装置１５の変位は、それぞれ必要に応じて手動で、あるいは駆動ユニットによって行うことができる。
【００３２】
結合プレート１９と折り曲げプレス機２の間の代替的な固定可能性として、たとえばクィックカップリングユニット又はたとえばねじ結合を設けることができる。ここでは原則的に、当業者に知られたすべての固定部材を使用することができる。
【００３３】
折り曲げプレス機２と支持装置１５の間の移行インターフェースは、結合平面２２によって表されている。この結合平面２２は、支持装置１５の駆動準備ができた状態において、好ましくは垂直に、したがって折り曲げプレス機２の前側の端面２３に対して平行に方向付けされており、その端面に支持装置１５が取り付けられている。したがって結合平面２２は、支持装置１５が折り曲げプレス機２に固定されている駆動状態における支持装置１５の方向付けを定める。
【００３４】
上方、下方などのような、すべての位置記載は、支持装置が折り曲げプレス機２に取り付けられている、支持装置１５の駆動準備された状態に関するものである。
【００３５】
図２は、図１に相当する側面図において本発明に係る支持装置１５の図式的な表示であって、それを用いて支持装置の機能方法もしくはその構造を明らかにし、かつ説明する。支持装置１５は、個々のレバーの中心線を表す簡単な線で示されている。
【００３６】
支持装置１５は、ベースフレーム２４を有しており、そのベースフレームにレバーリンケージシステム２５が配置されており、そのレバーリンケージシステム２５に支持載置部１７が固定されている。この種のレバーリンケージシステム２５によって、支持載置部１７、特にその載置面１８がベース位置２６と最大位置２７の間で揺動することができる。レバーリンケージシステム２５の正しい寸法設計によって、揺動運動の揺動中心点２８が第２の曲げ工具９の外側の載置エッジと一致し、したがって曲げ工程全体の間、もしくは揺動工程全体の間、曲げるべきシート３、特にシート脚１６が支持載置部１７の載置面１８に充分に載置することが保証されている。
【００３７】
支持載置部１７の載置面１８がそのベース位置２６において第２の曲げ工具９のシート載置面１０の高さにくるようにするために、結合プレート１９とベースフレーム２４の間に調節装置２９を取り付けることができ、その調節装置によってベースフレーム２４を垂直方向３０に変位させることができる。これは、様々な寸法を有する種々の曲げ工具９が使用される場合に、必要となる。その場合に調節装置２９は、手動で、たとえばクランクによって駆動することができる。他の実施変形例においては、駆動モータ３１を設けることもでき、その駆動モータが計算器ユニット１２と結合されており、したがって支持載置部１７の自動的な高さ調節を可能にする。
【００３８】
ベースフレーム２４は、互いに固定されたプロフィール材から構成することができる。さらに、ベースフレーム２４は、一体的に鋳造された、鋼構成部品又はアルミニウムブロックから形成することも、可能である。
【００３９】
ベースフレーム２４には、駆動ユニット３２が固定されており、その駆動ユニットはレバーリンケージシステム２５を変位させ、かつ位置決めするために設けられている。駆動ユニット３２は、好ましくは位置決めドライブ３３として形成されており、かつ回転ドライブ３４を有している。この回転ドライブ３４は、たとえばサーボモータを使用することによって実現することができる。この種のサーボモータは、付加的に、トルクもしくは位置決め精度を高めるために、ギア機構と結合することができる。サーボモータの使用は、そのために理想的であることが明らかにされている。というのは、サーボモータは高い位置決め精度をもたらすことができ、さらに、高いトルクを提供するからである。さらに、サーボモータは、然るべき中間エレクトロニクスを介して折り曲げプレス機２の計算器ユニット１２に極めて良好に接続することができる。
【００４０】
駆動ユニット３２は、さらに、クランク３５を有しており、そのクランクは回転ドライブ３４によってその回転中心点３６を中心に回転される。
【００４１】
レバーリンケージシステム２５は、第１のメインレバーアーム３７を有しており、その中に第１と第２の回転リンケージ３８、３９が収容されている。
【００４２】
レバーリンケージシステムのすべての構成部分は、支持装置１５の好ましい実施形態において、以下の図もしくは説明部分を用いてさらに詳細に説明される。簡単にするために、図２に機能モデルに従ってレバーアームは簡単に、２つの回転リンケージの間の中心線として示されており、かつこの種の中心線がこの出願の主旨におけるレバーアームを表す。
【００４３】
第１のメインレバーアーム３７は、この説明の主旨において、たとえば、第１の回転リンケージ３８の中心点から第２の回転リンケージ３９の中心点へ延びる直線によって形成される。第１のメインレバーアーム３７の長さは、第１と第２の回転リンケージの間の、特にそれらの中心点の間の、垂直間隔と見なされる。
【００４４】
２本のメインレバーアームが互いに平行であると言う場合に、それは、１本のレバーアームの、２つの回転リンケージの間の中心点を結合する直線が、他のレバーアームの、２つの回転リンケージの間の中心点を結合する直線に対して平行であることを意味する。
【００４５】
しかし、説明のために利用されるこの簡単な機能モデルによって、メインレバーアーム又はレバーアームの形成についての可能性に対する制限は与えられない。レバーアームは、たとえば構造に基づいてたとえばアーチ形状の部材として形成することができ、その場合にレバーアームの機能のためには、レバーアーム内に配置されている回転リンケージの互いに対する位置のみが、重要である。
【００４６】
第１のレバーアーム３７は、第１の回転リンケージ３８によってベースフレーム３４に固定されている。その場合に記述される回転リンケージは、たとえばボルト、転がり軸受などのような、当業者に知られたすべての種類の回転リンケージによって実現することができる。
【００４７】
レバーリンケージシステム２５は、さらに、第２のメインレバーアーム４０を有しており、それに第３の回転リンケージ４１と第４の回転リンケージ４２が配置されている。その場合に第２のメインレバーアーム４０は、第３の回転リンケージ４１によってベースフレーム２４に固定されている。
【００４８】
第１の回転リンケージ３８と第３の回転リンケージ４１は、メイン支承平面４３内に位置している。メイン支承平面４３は、さらに、揺動中心点２８を通って延びている。
【００４９】
レバーリンケージシステム２５は、さらに、担持アーム４４を有しており、その担持アームは第２の回転リンケージ３９によって第１のメインレバーアーム３７と、そして第４の回転リンケージ４２によって第２のメインレバーアーム４０と結合されている。その場合に担持アーム４４は、組み込まれた状態において第１のメインレバーアーム３７と第２のメインレバーアーム４０が互いに対して平行であるように、形成されている。
【００５０】
さらに、担持アーム４４は、メイン支承平面４３に対して平行である。換言すると、第１の回転リンケージ３８と第２の回転リンケージ３９の間の垂直間隔４５は、第３の回転リンケージ４１と第４の回転リンケージ４２の間の垂直間隔４６と等しい大きさである。
【００５１】
その場合に第３の回転リンケージ４１は、水平方向に見て、第１の回転リンケージ３８よりも結合平面２２の近くに配置されている。さらに、第３の回転リンケージ４１は、第１の回転リンケージ３８よりもずっと上に配置されている。その場合に２本のメインレバーアーム３７、４０は次のように、すなわち担持アーム４４と結合されるその第２の回転リンケージ３９と第４の回転リンケージ４２が、メイン支承平面４３上に位置するその第１の回転リンケージ３８及び第３の回転リンケージ４１よりも結合ライン２２からずっと離れているように、方向付けされている。
【００５２】
担持アーム４４には、第５の回転リンケージ４７によって支持載置部１７が固定されている。その場合に支持載置部１７は担持アーム４４の、第４の回転リンケージ４２を越えて張り出す部分に取り付けられている。さらに、支持載置部１７には、第６の回転リンケージ４９によって支持アーム５０が配置されており、その支持アームが支持載置部１７の安定化をもたらす。
【００５３】
載置面１８が、第５の回転リンケージ４７と第６の回転リンケージ４９の間の結合ラインに対して平行に延びることは、必ずしも必要ではない。
【００５４】
図２に示すように、支持載置部１７、特に今説明した第５の回転リンケージ４７と第６の回転リンケージ４９の間の結合ラインと載置面１８の延長とが、互いに対してくさび状に延び、したがって載置角度５１を形成すると、効果的であり得る。それによって支持装置１５のための組み込み空間は、できる限り小さく抑えることができる。しかしその場合にこれら２本のラインの延長が、揺動中心点２８内で交わるように注意しなければならない。
【００５５】
支持アーム５０は、第７の回転リンケージ５２によって第１のメインレバーアーム３７と、あるいは第２のメインレバーアーム４０と結合されている。その場合に、支持アーム５０が担持アーム４４に対して平行に延びるように、第７の回転リンケージ５２が位置決めされ、もしくは個々のレバーアームの長さが選択されている。第７の回転リンケージ５２は、さらに、第１と第２の回転リンケージ３８、３９の間の、あるいは第３と第４の回転リンケージ４１、４２の間の直線５３の延長上に配置されている。
【００５６】
レバーリンケージシステム２５の機能性にとって、第７の回転リンケージ５２が第１のメインレバーアーム３７に配置されているか、第２のメインレバーアーム４０に配置されているか、は重要ではない。説明した構造によって、第５の回転リンケージ４７と第６の回転リンケージ４９の間をつなぐ直線が生じ、その直線は揺動中心点２８を通って延びており、かつ第１及び第２のメインレバーアーム３７、４０に対して平行である。
【００５７】
したがって、レバーリンケージシステム２５がベース位置２６と最大位置２７の間で揺動運動する場合に、仮想の揺動中心点２８が生じる。
【００５８】
レバーリンケージシステム２５を駆動ユニット３２によって位置決めすることができるようにするために、揺り腕５４が設けられており、その揺り腕は第８の回転リンケージ５５によってすでに説明したクランク３５と、そして第９の回転リンケージ５６によってレバーリンケージシステム２５と結合されている。
【００５９】
その場合にレバーリンケージシステム２５のどの接続点に第９の回転リンケージ５６が配置されているか、は重要ではない。第９の回転リンケージ５６が支持アーム５０に配置されていると、効果的であることが明らかにされている。しかし、第９の回転リンケージ５６が、たとえば担持アーム４４に、あるいは第１又は第２のメインレバーアーム３７、４０に配置されることも、考えられる。
【００６０】
図３は、支持装置１５を斜視図で示しており、その場合に支持装置はその最大位置２７に位置している。その場合に、保護カバー５７が形成されていることがよく認識され、その保護カバーによって、特にレバーリンケージシステム２５の、内側に位置する部分が介入から保護される。その場合に保護カバー５７は、複数の個別セグメントに分割されており、それによってこの保護カバーは支持載置部１７と伸縮可能に連動することができる。
【００６１】
さらに、支持装置１５の下方の端部に支持じゃばら５８が取り付けられており、その支持じゃばらは、結合プレート１９に対してベースフレーム２４の高さを調節する場合に、支持装置１５の内側に位置する部分を充分に覆うことができるようにするために、設けられている。
【００６２】
さらに、保護カバー５７が開放可能な側壁５９を有していると、効果的な場合があって、それを通して保守目的で回転ドライブ３４に接近することができる。
【００６３】
図４は、支持装置１５を他の斜視図で示しており、この視点において保護カバーは、レバーリンケージシステム２５を見えるようにするために、遮蔽位置から外されている。その場合に、レバーリンケージシステムは１つの平面内に構築されているのではなく、所定の幅を有しており、それによって三次元の構造が生じ、したがってシステム全体に所定の安定性を与えられることが、よく理解できる。
【００６４】
見てわかるように、回転ドライブ３４はギア機構６０に配置することができる。このギア機構は２本の出力軸を有しており、その場合に２本の出力軸の各々にクランク３５が配置されている。この２つのクランク３５は、２つの揺り腕５４と結合することができ、それらの揺り腕は、２つの支持アーム５０と結合することができる。
【００６５】
ここに示す実施例に従って、レバーリンケージシステム２５と駆動ユニット３２のすべての個別部品は、できる限り軽構造として形成されており、その場合に個々のレバーの内部に切り抜きを形成することができ、その切り抜きによって軽構造が達成される。システム全体をできるだけ小さく組み立てることができるようにするために、付加的に、個々のレバーが単純なまっすぐな構成部品として形成されるのではなく、それらがたとえば屈曲した部品として形成されており、あるいは個々の部品をできる限り良好に入れ子にすることができるようにするために、切り欠きを有していると、好ましい場合があり得る。
【００６６】
たとえば第２のメインレバーアーム４０又は担持アーム４４が少なくとも部分的に、保護カバー５７の内側輪郭６１に適合した外側輪郭６２を有していると、好ましい場合がある。
【００６７】
回転リンケージと称される、レバーアーム間の個々の結合は、実施例に示されるように、ボルトによって形成することができ、そのボルトが滑り軸受又は転がり軸受内に収容されている。
【００６８】
システムの幅に関して個々のレバー部材の対称もしくは左右対称の配置が選択されているので、走行運動によって応力もしくは内的な力がもたらされることがないと、好ましい場合があり得る。その場合に個々の結合ボルトは、好ましくは一貫したボルトとして形成されており、それによって望ましくないトルク形成が回避される。唯一、クランク３５と揺り腕５４の間の結合ボルトは、スペース上の理由から一貫したボルトとして形成しないこともできる。ここでは好ましくは、クランク３５又は揺り腕５４が少なくとも領域的にフォークとして形成されるので、第８の回転リンケージ５５内に生じる力を良好に伝達することができ、かつここでは望ましくない負荷がもたらされることはない。
【００６９】
図５と６は、支持装置１５を側面図で示しており、その場合に図５内の支持載置部１７はその最大位置２７にあり、図６においてはそのベース位置２６にある。ここでは、この実施変形例に示されるレバーリンケージシステム２５の好ましい寸法が極めてわかりやすい。個々の長さの最適な値領域は、すでに冒頭で利点の説明において挙げられている。特に本発明に係る駆動ユニット３２との組み合わせにおいて、レバーリンケージシステム２５の幾何学配置の値記載がもたらす実施形態において、発生する内的な力を最小限に抑えることができ、さらに組み込み空間を節約することができる。
【００７０】
重要な幾何学的寸法は、クランク３５と揺り腕５４の間に形成される第１の角度６３である。冒頭で説明したように、個々の回転リンケージの間の結合ラインが幾何学的に重要なコンポーネントである。さらに、クランク３５と垂直に延びる結合平面２２との間に形成される第２の角度６４が重要である。レバーリンケージシステム２５の特性にとって重要な幾何学的寸法は、さらに、第５の回転リンケージ４７と第６の回転リンケージ４９の間の垂直間隔６５、第４の回転リンケージ４２と第５の回転リンケージ４７の間の垂直間隔６６、第９の回転リンケージ５６と第７の回転リンケージ５２の間の垂直間隔６７、第８の回転リンケージ５５と第９の回転リンケージ５６の間の垂直間隔６８、回転ドライブ３４の回転中心点３６と第８の回転リンケージ５５との間の垂直間隔６９、第１の回転リンケージ３７と第２の回転リンケージ４０の間の垂直間隔７０並びに第１の回転リンケージ３７と第３の回転リンケージ４１の間の水平間隔７１及び第１の回転リンケージ３７と回転ドライブ３４の回転中心点３６との間の水平間隔７２である。
【００７１】
さらに、図５と６にはガイドレール７３が示されており、そのガイドレール内で保護カバー５７の個々のセグメントを案内することができる。
【００７２】
図３から６には、支持装置１５の他の、そして場合によってはそれ自体自立した実施形態が示されており、その場合にここでも先行する図１及び２内と同じ部分については、同じ参照符号もしくは構成部品名称が使用されている。不必要な繰り返しを避けるために、先行する図１及び２内の詳細な説明を参照するよう指摘し、もしくは参照することができる。
【００７３】
実施例は、支持装置１５の可能な実施変形例を示しており、その場合にここで記録しておくが、本発明は、具体的に図示されたその実施変形例に限定されるものではなく、むしろ個々の実施変形例を互いに様々に組み合わせることも可能であって、この変形可能性は、対象となる発明による技術的に取り扱うための教示に基づいて、この技術分野で活動する当業者の裁量の範囲内にある。
【００７４】
さらに、図示され、かつ説明された様々な実施例に基づく個別特徴あるいは特徴の組み合わせも、それ自体自立した、進歩的又は発明に係る解決を表すことができる。
【００７５】
自立した発明に係る解決の基礎となる課題は、説明から読み取ることができる。
【００７６】
具体的な説明内の値領域についてのすべての記載は、その任意の部分領域とすべての部分領域を共に含むものであって、たとえば記載１から１０は、下限の１と上限の１０から始まるすべての部分領域、すなわち下限の１またはそれ以上で始まり、上限の１０またはそれ以下で終了する、たとえば１から１．７、または３．２から８．１、あるいは５．５から１０のすべての部分領域、を一緒に含んでいるものとする。
【００７７】
特に、図１−２、３−６に示される個々の形態は、自立した、発明に係る解決を形成することができる。これに関する、発明に係る課題は、これらの図の詳細な説明から読み取ることができる。
【００７８】
最後に、形式的に指摘しておくが、支持装置１５の構造を理解しやすくするために、支持装置もしくはその構成部分は、一部寸法にとらわれず、かつ／または拡大かつ／または縮小して示されている。
【符号の説明】
【００７９】
１    加工設備
２    折り曲げプレス機
３    シート
４    第１の変位可能なプレスビーム
５    第１の工具収容部
６    第１の曲げ工具
７    第２の固定のプレスビーム
８    第２の工具収容部
９    第２の曲げ工具
１０    シート載置面
１１    プレス機駆動ユニット
１２    計算器ユニット
１３    入力−表示ユニット
１４    操作装置
１５    支持装置
１６    シート脚
１７    支持載置部
１８    載置面
１９    結合プレート
２０    リニアガイド
２１    水平方向
２２    結合平面
２３    端面
２４    ベースフレーム
２５    レバーリンケージシステム
２６    ベース位置
２７    最大位置
２８    揺動中心点
２９    調節装置
３０    垂直方向
３１    駆動モータ
３２    駆動ユニット
３３    位置決めドライブ
３４    回転ドライブ
３５    クランク
３６    回転中心点
３７    第１のメインレバーアーム
３８    第１の回転リンケージ
３９    第２の回転リンケージ
４０    第２のメインレバーアーム
４１    第３の回転リンケージ
４２    第４の回転リンケージ
４３    メイン支承平面
４４    担持アーム
４５    垂直間隔１−２
４６    垂直間隔３−４
４７    第５の回転リンケージ
４８    張り出す部分
４９    第６の回転リンケージ
５０    支持アーム
５１    載置角度
５２    第７の回転リンケージ
５３    直線
５４    揺り腕
５５    第８の回転リンケージ
５６    第９の回転リンケージ
５７    保護カバー
５８    保護じゃばら
５９    側壁
６０    ギア機構
６１    内側輪郭
６２    外側輪郭
６３    第１の角度
６４    第２の角度
６５    垂直間隔５−６
６６    垂直間隔４−５
６７    垂直間隔９−７
６８    垂直間隔８−９
６９    垂直間隔  中心点−８
７０    垂直間隔１−３
７１    水平間隔１−３
７２    水平間隔  中心点−１
７３    ガイド
【図１】
0006588458.tif 000002
【図２】
0006588458.tif 000003
【図３】
0006588458.tif 000004
【図４】
0006588458.tif 000005
【図５】
0006588458.tif 000006
【図６】
0006588458.tif 000007